(57)【特許請求の範囲】
【請求項１】
入力される画像データをユーザの要求する圧縮率で圧縮する画像圧縮手段と、
前記画像圧縮手段における圧縮率に応じた画質に対応する印画紙の種類または大きさを選択し、前記選択された印画紙の単価である用紙代を課金算出にかかるパラメータの１つとして課金を行う課金管理手段と、
前記画像圧縮手段により圧縮された画像データを前記選択された印画紙を使って印刷する印刷手段と、
を備えていることを特徴とする画像印刷装置。
【請求項２】
入力される画像データを保存する画像保存手段と、前記画像圧縮手段により所望の圧縮率で圧縮された画像を表示する画像表示手段と、をさらに備え、
前記画像表示手段に表示された画像の画質を見て、圧縮率を変更して再度データ圧縮を行うか、そのままの画像を印刷するかを判断することを特徴とする請求項１に記載の画像印刷装置。
【請求項３】
ユーザの予算に応じた圧縮率を選択する予算／圧縮率変換手段と、
前記予算／圧縮率変換手段により選択された圧縮率で入力される画像データを圧縮する画像圧縮手段と、
前記画像圧縮手段の圧縮率に応じた画質に対応する印画紙の種類または大きさを選択し、前記選択された印画紙の単価である用紙代を課金算出にかかるパラメータの１つとして課金を行う課金管理手段と、
前記画像圧縮手段により圧縮された画像データを前記選択された印画紙を使って印刷する印刷手段と、
を備えていることを特徴とする画像印刷装置。
【請求項４】
入力される画像データを保存する画像保存手段と、前記画像圧縮手段により予算に応じた圧縮率で圧縮された画像を表示する画像表示手段と、をさらに備え、
前記画像表示手段に表示された画像の画質を見て、予算を変更して再度予算に応じたデータ圧縮を行うか、そのままの画像を印刷するかを判断することを特徴とする請求項３に記載の画像印刷装置。
【請求項５】
動画データを取り込む画像キャプチャー手段と、
前記画像キャプチャー手段より取り込まれた動画データをユーザの要求するサンプリング条件でサンプリングを行う画像サンプリング手段と、
前記画像サンプリング手段でサンプリングした複数の画像データを印刷する印刷手段と、
前記画像サンプリング手段でサンプリングした画像の出力枚数に応じて課金を行う課金管理手段と、
をさらに備えていることを特徴とする請求項１ないし４のいずれか一に記載の画像印刷装置。
【請求項６】
取り込まれた動画データを保存する画像保存手段と、前記画像サンプリング手段によりユーザの要求するサンプリング条件でサンプリングされた画像を表示する画像表示手段と、をさらに備え、
前記画像表示手段に表示されたサンプリング画像を見て、サンプリング条件を変更して再度サンプリングを行うか、そのままのサンプリング画像を印刷するかを判断することを特徴とする請求項５に記載の画像印刷装置。
【請求項７】
印刷した画像データに対して、印刷枚数や画質を考慮して課金を行う画像印刷課金方法において、
入力される画像データをユーザの要求する圧縮率で圧縮して印刷し、前記圧縮率に応じた画質に対応する印画紙の種類または大きさを選択し、前記選択された印画紙の単価である用紙代を課金算出にかかるパラメータの１つとして課金を行うことを特徴とする画像印刷課金方法。
【発明の詳細な説明】
【０００１】
【発明の属する技術分野】
本発明は、画像印刷装置に関し、より詳しくは、入力されるディジタル画像データをユーザの要求に応じた画像編集を行って印刷する画像印刷装置に関する。
【０００２】
【従来の技術】
近年、コンピュータや各種通信機器の普及に伴って情報のディジタル化が進み、ディジタルデータ形式により伝送されたり、記録媒体に記録されることが多くなってきている。
【０００３】
例えば、特開平９−２８４５４４号公報に開示されている画像印刷装置は、ディジタル媒体に記録されたディジタル画像データで表わされる画像を印刷するもので、編集情報や課金情報を印刷したり、送信したりする機能を有するものであった。
【０００４】
【発明が解決しようとする課題】
しかしながら、このような従来の画像印刷装置にあっては、課金を行う基準として印刷結果の大きさによるもの、あるいは画質（例えば、印刷ドライバによる画質調整や印刷用紙の違いによる画質調整などによる）を２段階程度に分け、各段階に応じた課金などを行っていたが、印刷結果の大きさや印刷枚数だけを基準としたのでは適正な課金ができず、また、画質について考慮する場合でも２段階程度では選択枝が少なく、適正でリニアな課金を行えないという問題点があった。
【０００５】
また、従来の画像印刷装置は、動画データが入力されたとしても１つのシーンの印刷しかできないという問題点があった。
【０００６】
さらに、従来の画像印刷装置は、画像データを編集処理して印刷する場合に、その印刷結果を予め予測することが不可能であり、印刷結果が所望の画像でなかった場合は再度編集をやり直して印刷することになるため、不経済であるという問題点があった。
【０００７】
本発明は上記に鑑みてなされたものであって、入力画像データを印刷する際に種々の画質、あるいは予算に応じた画質を選択することができるとともに、その画質に応じて適正に課金することができる画像印刷装置を提供することを第１の目的とする。
【０００８】
また、本発明は、動画データが入力された場合に、所望の複数シーンを連続的に印刷することができる画像印刷装置を提供することを第２の目的とする。
【０００９】
さらに、本発明は、編集処理を行った画像データを印刷する前に、その編集結果を予め予測することができる画像印刷装置を提供することを第３の目的とする。
【００１０】
【課題を解決するための手段】
上記の目的を達成するために、請求項１に記載の発明は、入力される画像データをユーザの要求する圧縮率で圧縮する画像圧縮手段と、前記画像圧縮手段における圧縮率に応じた画質に対応する印画紙の種類または大きさを選択し、前記選択された印画紙の単価である用紙代を課金算出にかかるパラメータの１つとして課金を行う課金管理手段と、前記画像圧縮手段により圧縮された画像データを前記選択された印画紙を使って印刷する印刷手段と、を備えている。
【００１１】
これによれば、画像圧縮手段によって入力される画像データをユーザの要求する圧縮率で圧縮し、課金管理手段によりデータの圧縮率に応じた画質に対応する印画紙の種類または大きさを選択し、前記選択された印画紙の単価である用紙代を課金算出にかかるパラメータの１つとして課金を行い、印刷手段によって圧縮された画像データを選択された印画紙を使って印刷するようにする。このため、データの圧縮率が画質に影響を与えるので、圧縮率をユーザが選択可能とすることにより画質を任意に選ぶことができ、その圧縮率に応じた画質に対応する印画紙の種類または大きさを選択し、選択された印画紙の単価である用紙代を課金算出にかかるパラメータの１つとして課金することにより、リニアで適正な課金を行うことができる。
【００１２】
また、請求項２に記載の発明は、請求項１に記載の画像印刷装置において、入力される画像データを保存する画像保存手段と、前記画像圧縮手段により所望の圧縮率で圧縮された画像を表示する画像表示手段と、をさらに備え、前記画像表示手段に表示された画像の画質を見て、圧縮率を変更して再度データ圧縮を行うか、そのままの画像を印刷するかを判断するものである。
【００１３】
これによれば、画像保存手段と画像表示手段とをさらに備えていて、印刷手段で印刷する前の画像データを画像表示手段に表示して画質状態が予め予測できるため、圧縮率を変更するかそのまま印刷すれば良いかを適切に判断することができる。
【００１４】
また、請求項３に記載の発明は、ユーザの予算に応じた圧縮率を選択する予算／圧縮率変換手段と、前記予算／圧縮率変換手段により選択された圧縮率で入力される画像データを圧縮する画像圧縮手段と、前記画像圧縮手段の圧縮率に応じた画質に対応する印画紙の種類または大きさを選択し、前記選択された印画紙の単価である用紙代を課金算出にかかるパラメータの１つとして課金を行う課金管理手段と、前記画像圧縮手段により圧縮された画像データを前記選択された印画紙を使って印刷する印刷手段と、を備えている。
【００１５】
これによれば、予算／圧縮率変換手段によりユーザの予算に応じた圧縮率を選択し、画像圧縮手段により予算／圧縮率変換手段で選択された圧縮率で画像データを圧縮し、課金管理手段では圧縮率に応じた画質に対応する印画紙の種類または大きさを選択し、前記選択された印画紙の単価である用紙代を課金算出にかかるパラメータの１つとして課金を行うとともに、印刷手段では圧縮された画像データを選択された印画紙を使って印刷する。このため、予算の範囲内で最も高画質を選択することができるので、画質よりも予算を優先したい場合に適している。
【００１６】
また、請求項４に記載の発明は、請求項３に記載の画像印刷装置において、入力される画像データを保存する画像保存手段と、前記画像圧縮手段により予算に応じた圧縮率で圧縮された画像を表示する画像表示手段と、をさらに備え、前記画像表示手段に表示された画像の画質を見て、予算を変更して再度予算に応じたデータ圧縮を行うか、そのままの画像を印刷するかを判断するものである。
【００１７】
これによれば、画像保存手段と画像表示手段とをさらに備えていて、印刷手段で印刷する前の画像データを画像表示手段に表示して画質状態が予め予測できるため、予算を変更するかそのまま印刷すれば良いかを適切に判断することができる。
【００１８】
また、請求項５に記載の発明は、請求項１ないし４のいずれか一に記載の画像印刷装置において、動画データを取り込む画像キャプチャー手段と、前記画像キャプチャー手段より取り込まれた動画データをユーザの要求するサンプリング条件でサンプリングを行う画像サンプリング手段と、前記画像サンプリング手段でサンプリングした複数の画像データを印刷する印刷手段と、前記画像サンプリング手段でサンプリングした画像の出力枚数に応じて課金を行う課金管理手段と、を備えている。
【００１９】
これによれば、画像キャプチャー手段により動画データを取り込み、その動画データを画像サンプリング手段によりユーザの要求するサンプリング条件でサンプリングを行い、印刷手段ではサンプリングした複数の画像データを印刷するとともに、課金管理手段ではサンプリングした画像の出力枚数に応じて課金が行われる。このため、ユーザがサンプリングの開始点、サンプリング間隔、サンプリング回数などのサンプリング条件を設定することによって、動画データの中から所望の連続した複数の画像を取り出すことが可能となる。
【００２０】
また、請求項６に記載の発明は、請求項５に記載の画像印刷装置において、取り込まれた動画データを保存する画像保存手段と、前記画像サンプリング手段によりユーザの要求するサンプリング条件でサンプリングされた画像を表示する画像表示手段と、をさらに備え、前記画像表示手段に表示されたサンプリング画像を見て、サンプリング条件を変更して再度サンプリングを行うか、そのままのサンプリング画像を印刷するかを判断するものである。
【００２１】
これによれば、画像保存手段と画像表示手段とをさらに備えていて、印刷手段で印刷する前のサンプリングされた画像データを画像表示手段に表示することにより、サンプリング間隔やサンプリングのタイミングが適正かどうかが予め予測できるため、サンプリング条件を変更するかそのまま印刷すれば良いかを適切に判断することができる。
【００２２】
また、請求項７に記載の発明は、印刷した画像データに対して、印刷枚数や画質を考慮して課金を行う画像印刷課金方法において、入力される画像データをユーザの要求する圧縮率で圧縮して印刷し、前記圧縮率に応じた画質に対応する印画紙の種類または大きさを選択し、前記選択された印画紙の単価である用紙代を課金算出にかかるパラメータの１つとして課金を行うものである。
【００２３】
これによれば、データの圧縮率が画質に影響を与えるので、圧縮率をユーザが選択可能とすることにより画質を任意に選ぶことができ、その圧縮率に応じた画質に対応する印画紙の種類または大きさを選択し、選択された印画紙の単価である用紙代を課金算出にかかるパラメータの１つとして課金することにより、リニアで適正な課金を行うことができる。
【００２４】
【発明の実施の形態】
以下、本発明の画像印刷装置および画像印刷課金方法について、（実施の形態１）〜（実施の形態３）の順で、添付の図面を参照して詳細に説明する。
【００２５】
（実施の形態１）
図１は、本発明の画像印刷装置１０の概略構成を説明するブロック図である。図１に示されるように、この画像印刷装置１０は、画像保存手段としてのデータ保存部１２、画像圧縮手段としての画像圧縮部１６などを含みディジタル画像データを編集処理するデータ編集部１４、課金管理手段としての課金管理部１８、印刷手段としての印刷部２０、画像表示手段としてのデータ表示部２２などにより構成されている。
【００２６】
データ保存部１２は、入力されるディジタル画像データを取り込んで保存することができる媒体をいう。例えば、ビデオテープ、あるいはＨＤＤ（ハード・ディスク・ドライブ）、ＦＤＤ（フロッピー・ディスク・ドライブ）、ＣＤ（コンパクト・ディスク）、ＤＶＤ（ディジタル・ビデオ・ディスク）などのディジタル記憶媒体などがある。また、ここに保存されるディジタル画像データとしては、静止画データや動画データの何れであっても良い。
【００２７】
データ編集部１４は、ここではデータ保存部１２に保存されているディジタル画像データを取り込んで種々の編集処理を行うもので、例えば、ＰＣ（パーソナル・コンピュータ）や専用の画像処理装置等が考えられる。このデータ編集部１４には、ディジタル画像データを複数の圧縮率を使ってデータ圧縮することができる画像圧縮部１６の他、図示してないが、データ保存部１２からデータを入力するデータ入力部、ユーザが要求する種々の編集条件（例えば、圧縮率、枚数、大きさ、印画紙の種類、サンプリング間隔）等を入力するユーザ要求入力部、あるいは、種々のパラメータを相互変換するテーブル機能や計算機能をも有している。そして、上記各部を用いて条件の選択が行われて、編集処理に関する情報を後述する課金管理部１８に、編集処理されたデータを印刷部２０やデータ表示部２２にそれぞれ出力される。このデータ編集部１４に要求される圧縮率と画質とは、圧縮率が低いほど画質が高画質となり、反対に圧縮率を高くするに従って画質が低下するという関係にある。
【００２８】
課金管理部１８は、上記したデータ編集部１４で選択された編集処理や印刷工程に関する情報、例えば、データの圧縮率、画像処理工数、印画紙の種類、印画紙の枚数、印画紙の大きさなどの要素に基づいて、一定の算定式を用いて個々の課金が算出される。この算出された課金結果データは、データ編集部１４に戻してデータ表示部２２に画面表示したり、印刷部２０に送って印刷したり、通信回線等を介して外部に送信することができる。
【００２９】
印刷部２０は、データ編集部１４で編集処理されたデータを入力して、これを印画紙に印刷するものである。なお、この印刷部２０には、図示していないが編集処理された入力データを印刷用に解読する機能を有しており、その解読結果に基づいて印刷が行われる。その際に使用される印画紙の種類、印画紙の枚数、印画紙の大きさについては、データ編集部１４からの指示にしたがって印刷工程が行われる。
【００３０】
データ表示部２２は、画像印刷装置１０における処理状況や課金結果データ、あるいは、画像データの編集処理結果などを画面上に表示できるようにしたもので、例えば、液晶等を用いたフラットディスプレイやＣＲＴ（カソード・レイ・チューブ）などがある。
【００３１】
このように画像印刷装置１０が構成されており、実施の形態１に係る動作を図２のフローチャートを用いて説明する。
【００３２】
まず、データ保存部１２に取り込まれて保存されているディジタル画像データをデータ編集部１４に入力すると共に（ステップＳ１）、ユーザはデータ編集部１４のユーザ要求入力部から枚数、用紙、圧縮率（画質）などを入力する（ステップＳ２）。
【００３３】
データ編集部１４では、入力されたユーザ要求（圧縮率）に従って画像圧縮等のデータ編集処理が行われる（ステップＳ３）。その際、入力される圧縮率が低ければ高画質となるため、その画質に見合った高機能の印画紙を選択するようにし、逆に、圧縮率が高くなれば画質が落ちるので、通常の印画紙を選択するようにする。
【００３４】
この画像圧縮処理の後は、直ちに課金算出処理や印刷処理に移行しても良いが、ここでは、ユーザが要求した圧縮率でデータ圧縮を行った画像データをデータ表示部２２に一旦表示させて、画面上で予め画質等のチェックを行うようにしている（ステップＳ４）。
【００３５】
データ表示部２２の画面上で画質を確認した際に、それが所望の画質であるか否かを判断し（ステップＳ５）、所望の画質が得られていない場合は、上記ステップＳ２に戻って前よりも低い圧縮率を入力し、再度データの編集処理を行うようにする。また、所望の画質が得られている場合は、次の課金算出処理に移行する。
【００３６】
課金算出処理では、それぞれの圧縮率（画質）に応じたリニアな課金を行うため、データ編集部１４内に具備された圧縮率／課金テーブル（図３参照）が使用される。この圧縮率／課金テーブルは、図３に示されるように、横軸に圧縮率、縦軸に課金定数がとられ、圧縮率が高くなると画質が落ちるため課金定数が低くなり、逆に、圧縮率が低くなると高画質になるため課金定数が高くなるという反比例の関係にある。図２のステップＳ６では、この圧縮率／課金テーブルを参照することによって、圧縮率（画質）に見合った適正な課金定数を出すことができる。すなわち、圧縮率が低く、高画質の場合は、課金も高額となるが、圧縮率が高く、画質が低下する場合は、課金もそれに応じて低額になる。この課金定数は課金管理部１８に送られる。
【００３７】
そして、最終課金の算出については、課金管理部１８で行われる。すなわち、使用する印画紙の単価である用紙代、画像圧縮等の編集代、圧縮率／課金テーブルを参照して圧縮率に見合った圧縮課金定数に画質代を掛けたものをそれぞれ足して、それに処理枚数を掛けたものが最終課金となる（ステップＳ７）。
【００３８】
また、データ編集部１４により画像圧縮された画像データは、印刷部２０に送られ、画質に見合った印画紙を使って画像印刷が所定枚数分だけ行われる（ステップＳ８）。
【００３９】
このように、実施の形態１によれば、ユーザの要求する圧縮率に応じて任意の画質を選択することができると共に、圧縮率／課金テーブルを参照することにより、圧縮率（画質）に見合ったリニアで適正な課金を行うことができる。
【００４０】
さらに、印刷する前に圧縮データをデータ表示部２２の画面上で画質を確認できるようにしたため、出来上がりの画質を予め予測することが可能となり、無駄な印刷を防止することができる。
【００４１】
なお、実施の形態１では、入力される圧縮率（画質）に応じて出力可能な大きさに限界を設けるようにしても良い。すなわち、低い圧縮率（高画質）の場合は、大きいサイズまで印刷可能とし、高い圧縮率（低画質）の場合は、一定のサイズまでとすることにより、画質の荒さを必要以上に目立たせないようにすると共に、課金に一層メリハリが付けられるからである。
【００４２】
（実施の形態２）
図４は、実施の形態２の動作を説明するフローチャートであり、図５は、実施の形態２で用いる予算／圧縮率テーブルの一例を示したものである。
【００４３】
実施の形態２における特徴は、予算が限られているような場合でも、その予算の範囲内で最も高画質の印刷を容易に選択できるようにした点であり、図１に示したデータ編集部１４に図５の予算／圧縮率テーブルを持っている。
【００４４】
この予算／圧縮率テーブルは、予算を幾つかの範囲に分けて、各予算の範囲に応じた圧縮率（画質）を対応させたものである。図５に示した予算／圧縮率テーブルは、キャビネ版についてのテーブル例であって、図示していないがこれ以外の用紙サイズのテーブルもデータ編集部１４が持っている。ユーザは、用紙サイズや予算を入力すると、その用紙サイズの予算／圧縮率テーブルを参照して予算に見合った圧縮率を容易に得ることができる。
【００４５】
次に、実施の形態２に係る動作を図４のフローチャートを用いて説明する。まず、データ保存部１２に取り込まれて保存されているディジタル画像データをデータ編集部１４に入力すると共に（ステップＳ１１）、ユーザはデータ編集部１４のユーザ要求入力部から枚数、用紙、予算などを入力する（ステップＳ１２）。
【００４６】
データ編集部１４では、上記した予算／圧縮率テーブルを参照して予算に見合った圧縮率を得る（ステップＳ１３）。そして、この圧縮率に基づきデータ圧縮部１４の画像圧縮部１６で画像データの圧縮処理が行われる（ステップＳ１４）。この場合も、入力される圧縮率が低ければ高画質となるため、その画質に見合った高機能の印画紙を選択するようにし、逆に、圧縮率が高くなれば画質が落ちるので、通常の印画紙を選択するようにする。
【００４７】
この画像圧縮処理の後は、ユーザの要求する予算に見合った圧縮率で圧縮した画像データをデータ表示部２２に表示させて、画面上で画質等のチェックを印刷前に行うようにしている（ステップＳ１５）。なお、上記の画像圧縮後（ステップＳ１４）に、直ちに課金算出処理や印刷処理に移行するようにしても勿論良い。
【００４８】
また、データ表示部２２の画面上で画質を確認した際に、それが所望の画質であるか否かを判断し（ステップＳ１６）、所望の画質が得られていない場合は、上記ステップＳ１２に戻って前よりも予算を上げて低い圧縮率を得て、再度データの編集処理を行うか、予算が上られない場合はその画質で満足するようにする。ステップＳ１６で所望の画質が得られた場合は、次の課金算出処理に移行する。
【００４９】
課金算出処理では、それぞれの圧縮率（画質）に応じたリニアな課金を行うため、実施の形態１と同様にデータ編集部１４に具備した圧縮率／課金テーブル（図３）を参照することにより、圧縮率（画質）に見合った適正な課金定数を出すことができる（ステップＳ１７）。この課金定数は課金管理部１８に送られる。
【００５０】
そして、最終課金の算出は、課金管理部１８で行われる。すなわち、使用する印画紙の単価である用紙代、画像圧縮等の編集代、圧縮率／課金テーブルを参照して圧縮率に見合った圧縮課金定数に画質代を掛けたものをそれぞれ足して、それに処理枚数を掛けたものを最終課金とする（ステップＳ１８）。
【００５１】
また、データ編集部１４で画像圧縮された画像データは、印刷部２０に送られて、画質に見合った印画紙を使って印刷が行われる（ステップＳ１９）。
【００５２】
このように、実施の形態２によれば、ユーザが予算を入力すると、その予算に応じた圧縮率を自動的に選択して画像圧縮を行うので、いつでも予算に応じた画質の印刷物を提供することができる。例えば、通常はＡ４サイズで印刷を行うと１０００円する場合に、持ち合わせが１００円しか無く、それでも印刷物が必要であれば、画質を落とし、印刷物のサイズを小さくして印刷を可能にする画像印刷装置などがビジネス上の応用として考えられる。
【００５３】
また、実施の形態２の場合も、印刷する前に圧縮データをデータ表示部２２の画面上で画質を確認できるようにしたため、出来上がりの画質を予め予測することが可能となり、無駄な印刷を防止することができる。
【００５４】
（実施の形態３）
図６は、実施の形態３の動作を説明するフローチャートである。実施の形態３における特徴は、入力される画像データが動画データであっても、その動画データの中から適当な間隔で静止画データを取り出して、連続写真のような画像を印刷できるようにした点にある。
【００５５】
図１に示した実施の形態１のデータ編集部１４には図示していないが、実施の形態２では、このデータ編集部１４に、動画データを取り込む画像キャプチャー手段としての画像キャプチャー部と、その画像キャプチャー部より取り込まれた動画データをユーザの要求するサンプリング条件でサンプリングする画像サンプリング手段としての画像サンプリング部とを備えている。
【００５６】
次に、実施の形態３に係る動作を図６のフローチャートを用いて説明する。まず、データ保存部１２に動画データが保存されている場合は、その動画データをデータ編集部１４の画像キャプチャー部により取り込む（ステップＳ２１）。ここでは、データ保存部１２に保存されている動画データとして、ゴルフの練習データが保存されていて、これを取り込むものとする。
【００５７】
また、ユーザはデータ編集部１４のユーザ要求入力部からサンプリング間隔などのサンプリング条件を入力すると共に（ステップＳ２２）、ユーザ要求としての枚数、用紙、予算などを入力する（ステップＳ２３）。ここでは、サンプリング間隔を０．２ｓｅｃ毎とし、サンプリング回数を５回とした。
【００５８】
データ編集部１４の画像サンプリング部では、取り込んだ動画データをユーザの要求するサンプリング条件（サンプリング開始点、サンプリング間隔、サンプリング回数など）に従って画像サンプリングが行われる（ステップＳ２４）。
【００５９】
この画像サンプリング処理の後は、ユーザの要求するサンプリング条件でサンプリングした画像データをデータ表示部２２に表示させて、画面上で複数枚のサンプリング画像をチェックできるようにしている（ステップＳ２５）。なお、上記の画像サンプリング後（ステップＳ２４）に、直ちに課金算出処理や印刷処理に移行するようにしても勿論良い。
【００６０】
また、データ表示部２２の画面上でサンプリング画像をチェックした際に、それらが所望の間隔やタイミングでサンプリングされているか否かを判断し（ステップＳ２６）、所望のサンプリング画像が得られていない場合は、上記ステップＳ２２に戻ってサンプリングの開始点やサンプリング間隔を変更して、再度動画データをサンプリング処理するようにする。ステップＳ２６で所望のサンプリング画像が得られた場合は、次の課金算出処理に移行する。
【００６１】
なお、実施の形態３では、画像圧縮の圧縮率（画質）を一定として編集処理するようにしたが、上記実施の形態１および２のように圧縮率を可変できるようにしても良く、その場合はステップＳ２６の後にユーザの要求する圧縮率に従って画像圧縮処理が行われる。画像圧縮処理の説明は、上記実施の形態１および２で説明したので省略する。
【００６２】
そして、最終課金の算出は、課金管理部１８で行われる。すなわち、動画データをサンプリング処理した編集代や用紙代、画像圧縮した場合の圧縮課金定数に画質代を掛けたものをそれぞれ足して、それにサンプリングを行った枚数を掛けたものを最終課金とする（ステップＳ２７）。
【００６３】
また、データ編集部１４でサンプリングを行ったサンプリング画像データは、それぞれ印刷部２０に送られて、画質に見合った印画紙を使って印刷が行われる（ステップＳ２８）。
【００６４】
このように、実施の形態３によれば、入力画像データが動画データであっても、ユーザの要求するサンプリング条件に従ってサンプリングすることにより、所望のタイミングと間隔によって、ゴルフの練習データから連続写真のようにして印刷することができる。
【００６５】
また、実施の形態３の場合も、印刷する前にサンプリング画像データをデータ表示部２２の画面上で確認できるようにしたため、出来上がりの複数枚のサンプリング画像を見て印刷するか否かを事前に判断できるため、無駄な印刷を防止することができる。
【００６６】
なお、上記実施の形態１〜３において、図１に示した画像印刷装置１０は、一構成例であって、この構成に限定されるものではなく、例えば、データ編集部１４と課金管理部１８を１つにまとめて、汎用のパーソナル・コンピュータで構成したり、印刷部２０に高機能印刷を使用するようにしても良い。
【００６７】
また、図１では画像印刷装置１０を１つの装置で構成しているが、各機能を独立した装置で構成し、各装置間を回線（ディジタルメディア、無線通信、優先通信など）で結ぶことにより、画像印刷システムとして構成しても良いのは勿論である。
【００６８】
【発明の効果】
以上説明したように、本発明の画像印刷装置（請求項１）によれば、データの圧縮率が画質に影響を与えるので、圧縮率をユーザが選択可能とすることによって画質を任意に選ぶことができると共に、その圧縮率に応じた画質に対応する印画紙の種類または大きさを選択し、選択された印画紙の単価である用紙代を課金算出にかかるパラメータの１つとして課金することにより、リニアで適正な課金を行うことができる。
【００６９】
また、本発明の画像印刷装置（請求項２）によれば、画像保存手段と画像表示手段とをさらに備えていて、印刷手段で印刷する前の画像データを画像表示手段に表示して画質状態が予め予測できるので、圧縮率を変更するかそのまま印刷すれば良いかを適切に判断することができる。
【００７０】
また、本発明の画像印刷装置（請求項３）によれば、予算の範囲内で最も高画質を選択することができるので、画質よりも予算を優先したい場合に適している。
【００７１】
また、本発明の画像印刷装置（請求項４）によれば、画像保存手段と画像表示手段とをさらに備えていて、印刷手段で印刷する前の画像データを画像表示手段に表示して画質状態が予め予測できるので、予算を変更するかそのまま印刷すれば良いかを適切に判断することができる。
【００７２】
また、本発明の画像印刷装置（請求項５）によれば、ユーザがサンプリングの開始点、サンプリング間隔、サンプリング回数などのサンプリング条件を設定して動画データをサンプリングするので、動画データの中から所望の連続した複数の画像を取り出すことができる。
【００７３】
また、本発明の画像印刷装置（請求項６）によれば、画像保存手段と画像表示手段とをさらに備えていて、印刷手段で印刷する前のサンプリングされた画像データを画像表示手段に表示することにより、サンプリング間隔やサンプリングのタイミングが適正かどうかが予め予測できるので、サンプリング条件を変更するかそのまま印刷すれば良いかを適切に判断することができる。
【００７４】
また、本発明の画像印刷課金方法（請求項７）によれば、入力される画像データをユーザの要求する圧縮率で圧縮して印刷し、その圧縮率に応じて課金を行うため、画質に影響を与えるデータの圧縮率をユーザが選択可能とすることによって画質を任意に選ぶことができると共に、その圧縮率に応じた画質に対応する印画紙の種類または大きさを選択し、選択された印画紙の単価である用紙代を課金算出にかかるパラメータの１つとして課金することにより、リニアで適正な課金を行うことができる。
【図面の簡単な説明】
【図１】本発明の画像印刷装置の概略構成を説明するブロック図である。
【図２】実施の形態１に係る動作を説明するフローチャートである。
【図３】圧縮率／課金テーブル例を示した図である。
【図４】実施の形態２に係る動作を説明するフローチャートである。
【図５】予算／圧縮率テーブル例を示した図である。
【図６】実施の形態３に係る動作を説明するフローチャートである。
【符号の説明】
１０    画像印刷装置
１２    データ保存部（画像保存手段）
１４    データ編集部
１６    画像圧縮部（画像圧縮手段）
１８    課金管理部（課金管理手段）
２０    印刷部（印刷手段）
２２    データ表示部（画像表示手段）
【図１】
0003917308.tif 000002
【図２】
0003917308.tif 000003
【図３】
0003917308.tif 000004
【図４】
0003917308.tif 000005
【図５】
0003917308.tif 000006
【図６】
0003917308.tif 000007